(57)【要約】【課題】懸垂されたサンプルの振動を効果的に防止して計測誤差を低減すると共に、測定時間の短縮を図ることのできる測定用ホルダを提供すること。【解決手段】上端に引掛け部１ａを有する上下に長いフック体１に吊り下げられたサンプルＣを電子天びんでＡ計量するために使用されるものであって、電子天びんＡの計量皿２に立設された支柱４と、該支柱の上部に形成された係合部５と、係合部５の下方位置に配置されて支柱４に支持された当接体６とからなり、該当接体の先端６ａが、係合部からの垂線Ｘより離れた位置になるように形成され、これによりサンプルを吊り下げたフック体１を係合部５に引っ掛けた際に、フック体１が傾斜してサンプルの荷重が係合部５と当接体先端部６ａの２点で支持されるようにした構成。【選択図】図１
2010190664.tif 000002
【特許請求の範囲】
【請求項１】
上端に引掛け部を有する上下に長いフック体に吊り下げられたサンプルを電子天びんで計量するために使用される測定用ホルダであって、
電子天びんの計量皿に立設された支柱と、
前記支柱の上部に形成された係合部と、
前記係合部の下方位置に配置されて支柱に支持された当接体とからなり、
前記当接体の先端が、係合部からの垂線より離れた位置になるように形成され、これによりサンプルを吊り下げたフック体を係合部に引っ掛けた際に、フック体が傾斜してサンプルの荷重が係合部と当接体先端部の２点で支持されるように形成されている測定用ホルダ。
【請求項２】
前記係合部と当接体とが、支柱に固定された一つの板部材に形成されている請求項１に記載の測定用ホルダ。
【請求項３】
吊り下げられたサンプルの下方部分の側面に、サンプルを少し押しつけるように接触する第２の当接体が設けられている請求項１または２に記載の測定用ホルダ。
【請求項４】
前記請求項１〜３のいずれかの測定用ホルダを計量皿に固定してシート状のサンプルを計測することを特徴とする電子天びん。
【発明の詳細な説明】
【技術分野】
【０００１】
本発明は、電子天びんおよび電子天びんで使用される測定用ホルダに関し、特に、上端に引掛け部を有する上下に長いフック体に吊り下げられたシート状のサンプルを電子天びんで計測する際に使用される測定用ホルダおよびこれを用いた電子天びんに関する。なお、ここでいう電子天びんとは、電磁力平衡機構を備えた電子天びん、ロードセル式や音叉式、静電容量式等の電子天びん（電子はかりともいう）をはじめ、被測定物の重量加重を電気信号として検出して計測する秤量装置全般を含むものであり、以下これらを総括して電子天びんという。
【背景技術】
【０００２】
シート状基材の表面に粘着性のある塗膜を形成したサンプル、例えば、各種塗工紙や接着テープ、機能性フイルム等の塗布量や揮発による経時的な質量変化を計測して塗膜の状態を把握することは、製品の高品質化と効率的な製造のために必要であり、広く実施されている。
【０００３】
このような表面に粘着性のある塗膜を形成したシート状のサンプルを電子天びんで測定する場合、サンプルを直接計量皿上に載せると、粘着性の塗膜が計量皿に付着してしまうので正確な測定を行うことができない。
そこで従来では、図５に示すように、持ち運びの用具を兼ねた上下に長いフック体１の下端にサンプルＣを吊り下げ、このフック体１の上端引掛け部１ａを電子天びん１０の下面に露出させた計量部１１に懸垂させて床下秤量を行っていた。なお、このようにサンプルを懸垂させて床下秤量を行う電子天びんとしては、例えば特許文献１に記載のものがある。
【先行技術文献】
【特許文献】
【０００４】
【特許文献１】特開平０５−３２２６３２号公報
【発明の概要】
【発明が解決しようとする課題】
【０００５】
しかし、サンプルを吊り下げたフック体の上端を電子天びんに引っ掛けて懸垂させた際、下方の吊り下げられたサンプルが振り子のように振動して完全に静止するまでに、例えば１分程度といったかなりの時間を要していた。たとえ微小な振動であっても、計測値が安定しなくなり計測誤差が生じるので、正確に計測するためにはサンプルの揺れが完全に止まったことを確認して計測値を読む必要があるが、完全に静止するまでの時間が長くて計測に長い時間を必要とすると共に、目視での静止確認は難しく、静止前の計量による計測誤差が発生しやすいといった課題があった。また、懸垂されたサンプルは、電子天びんにかかる微小な衝撃でも容易に振動して計測誤差が発生するといった課題もあった。
【０００６】
本発明は、上記のような従来課題を解消するために提案されたものであって、懸垂されたサンプルの振動を効果的に防止して計測誤差を低減すると共に、測定時間の短縮を図ることのできる測定用ホルダを簡潔な構造で提供することを主たる目的とするものである。
【課題を解決するための手段】
【０００７】
上記目的を達成する為に本発明では次のような技術的手段を講じた。即ち、本発明にかかる測定用ホルダにあっては、上端に引掛け部を有する上下に長いフック体に吊り下げられたサンプルを電子天びんで計量するために使用される測定用ホルダであって、電子天びんの計量皿に立設された支柱と、支柱の上部に形成された係合部と、係合部の下方位置に配置されて支柱に支持された当接体とからなり、当接体の先端が、係合部からの垂線より離れた位置になるように形成され、これによりサンプルを吊り下げたフック体を係合部に引っ掛けた際に、フック体が傾斜してサンプルの荷重が係合部と当接体先端部の２点で支持されるように形成されている構成としたものである。
【発明の効果】
【０００８】
本発明の測定用ホルダは上記のごとく、サンプルを吊り下げたフック体を係合部に引っ掛けた際に、フック体が傾斜して係合部と当接体先端部の２点でサンプルの荷重が支持される構成とされているので、サンプルの自重によって発生するモーメントは２点の支持点に作用して、上端の係合部を支点とするフック体の振り子的な揺れを瞬間的に静止させることができ、これにより、懸垂されたサンプルの振動を効果的に抑制して計測誤差の低減を図ることができると共に、測定時間を著しく短縮することができる、といった効果がある。
【０００９】
（その他の課題を解決するための手段及び効果）
上記発明において、前記係合部と当接体とが、支柱に固定された一つの板部材に形成される構成とするのがよい。
これにより、構成部品を少なくしてコストの低減化を図ることができるとともに、ホルダの組み付けが容易となる。
【００１０】
また、上記発明において、吊り下げられたサンプルの下方部分の側面に、サンプルを少し押しつけるように接触する棒状の第２の当接体が設けられている構成とするのがよい。
これにより、サンプルの振れを更に抑制することができる。
また、別の観点からなされた本発明の電子天秤は上述した測定用ホルダを計量皿に固定してシート状のサンプルを計測する。
【図面の簡単な説明】
【００１１】
【図１】本発明にかかる測定用ホルダの第１の実施例を示す斜視図であって、測定すべきサンプルを吊り下げた状態を示す。
【図２】上記測定用ホルダの一部を断面した側面図。
【図３】本発明にかかる測定用ホルダの別の実施例を示す図２同様の側面図。
【図４】本発明にかかる測定用ホルダの更に別の実施例を示す斜視図。
【図５】従来手段を示す一部断面図。
【発明を実施するための形態】
【００１２】
以下において本発明にかかる測定用ホルダについて図面に示した実施例に基づき説明する。
図１は本発明にかかる測定用ホルダの第１の実施例を示す斜視図であって、粘着性のある塗膜を塗布したサンプルを懸垂している状態を示すものであり、図２はその一部を断面した側面図である。
【００１３】
図において、符号Ａは電子天びんであり、１は上端に引掛け部１ａを有し下端のフック１ｂに測定すべきサンプルＣを吊り下げた上下に長い棒状のフック体である。このフック体はサンプルを持ち運びする用具も兼用する。
【００１４】
上記電子天びんＡの計量皿２に本発明にかかる測定用ホルダＢが取り付けられている。このホルダＢは、計量皿２上に固定された水平な基板３と、該基板３に垂直に立設された支柱４と、支柱の４の上部に形成された係合部５と、係合部５の下方位置に配置されて支柱４に支持された当接体６とから構成されている。そして、前記当接体６の先端６ａが、係合部５からの垂線Ｘより離れた位置、好ましくは図１並びに図２のように、支柱４より遠のく側に離れた位置になるように形成され、これによりサンプルＣを吊り下げたフック体１の上端引掛け部１ａを係合部５に引っ掛けた際に、フック体１が傾斜してサンプルＣの荷重が係合部５と当接体先端部６ａの２点で支持されるように形成されている。本実施例では、前記係合部５と当接体６とが、硬質厚板製の一枚の板材を略Ｚ字状に折り曲げて支柱に固定した一つの板部材７に形成されている。即ち、係合部５は、板部材７の上段の略水平部７ａの先端部で上下に貫通した孔によりで形成されており、当接体６は、板部材７の下段水平部７ｂによって形成されている。また当接体６の先端部６ａには、フック体１が嵌り込んで安定よく支持できるように凹陥部６ｂ（図１参照）が設けられている。
なお、図の符号８は前記ホルダ部分の周辺を覆うように電子天びんＡの上部に設けられた透明な風防ケースである。
【００１５】
上記の如く構成された測定用ホルダにおいて、図１並びに図２に示すように、サンプルＣを吊り下げたフック体１を係合部に引っ掛けた際に、フック体１が傾斜して、サンプルの自重によって発生するモーメントは係合部５と当接体先端部６ｂの２点の支持点に作用して、上端の係合部を支点とするフック体の振り子的な揺れを迅速に静止させることができ、これにより、懸垂されたサンプルの振動を効果的に抑制して測定時間を著しく短縮することができる。
発明者等の実験によれば、従来手段の吊り下げ方式による床下秤量では、完全静止までの時間が平均６０秒であったが、本発明の手段では平均１０秒に短縮することができた。
【００１６】
なお、本発明では、図３に示すように、吊り下げられたサンプルＣの下方部分にサンプルＣを少し押し上げるように接触する棒状の第２の当接体９を設けるのがよい。この第２の当接体９は図のように支柱４に取り外し可能に取り付けるのが好ましいが、水平な基板３に着脱可能に取り付けてもよい。これによりサンプルの振れを更に抑制することができる。この場合、サンプルＣの表面に当接体９の先端が直接接触するので、塗膜面が片側面に形成される場合に有効である。
【００１７】
また、本発明では図４に示すように、当接体６を、係合部５を形成した板部材から分離して別部材で形成し、支柱４に取り付けて構成することも可能である。この場合、当接体６を長孔６ｃ並びに取り付けビス６ｄにより支柱４に対して上下位置調節可能に取り付けるのがよい。これにより、フック体１の長さに応じて係合部５と当接体先端部６ａとの間隔を調整することができ、便利に使用することができる。
【００１８】
以上本発明の代表的な実施例について説明したが、本発明は必ずしも上記の実施例構造のみに特定されるものではく、その目的を達成し、請求の範囲を逸脱しない範囲内で適宜修正、変更することが可能である。
【産業上の利用可能性】
【００１９】
本発明は、上下に長いフック体に吊り下げられたサンプルを電子天びんで計測する際に使用される測定用ホルダとして適用することができる。
【符号の説明】
【００２０】
Ａ  電子天びん
Ｂ  測定用ホルダ
Ｃ  サンプル
１  フック体
２  計量皿
４  支柱
５  係合部
６  当接体
６ａ  当接体の先端部
７  板部材
【図１】
2010190664.tif 000003
【図２】
2010190664.tif 000004
【図３】
2010190664.tif 000005
【図４】
2010190664.tif 000006
【図５】
2010190664.tif 000007